(57)【要約】【課題】無線システムの優先度や自動接続の可否条件などのユーザによる接続ポリシー情報及び各無線システムとの無線リンク品質に応じて無線システム間のハンドオーバを安定して実現する。【解決手段】無線端末において、無線システム毎に、少なくとも、接続ポリシシーとして、無線システム毎に接続の優先度Ｐと、接続開始リンク無線品質閾値Ｑ１とを、ユーザにより設定して保持する。またこれ等情報は、無線システムから受信した報知情報によっても動的に設定可能とする。無線端末は、無線リンク品質がＱ１以上で且つフラグＦ１がＯＮに設定された無線システムのうち、優先度が高い順に選択して接続する。【選択図】      図６
2004304399.tif 000002
【特許請求の範囲】
【請求項１】
複数の通信システムに接続可能な通信端末であって、通信リンク品質及び前記複数の通信システム毎に設定された接続ポリシーに基づいて接続する通信システムを決定する通信システム選択手段を含むことを特徴とする通信端末。
【請求項２】
前記接続ポリシーは接続の優先度を含み、前記通信システム選択手段は、通信リンク品質の変化に伴って、前記通信リンク品質が第一の閾値以上で、かつ前記優先度が高い通信システムに接続することを特徴とする請求項１記載の通信端末。
【請求項３】
前記接続ポリシーは、前記複数の通信システム毎に設定された接続の可否を示す接続可否情報を含み、前記通信システム選択手段は、通信リンク品質の変化に伴って、前記通信リンク品質が前記第一の閾値以上でかつ前記接続可否情報が可を示す通信システムのうち、前記優先度が高い通信システムに接続することを特徴とする請求項２記載の通信端末。
【請求項４】
前記接続可否情報が否を示す通信システムについては、ユーザの手動操作に応答して接続する手段を含むことを特徴とする請求項３記載の通信端末。
【請求項５】
前記通信システム毎の前記第一の閾値と前記優先度とが負の相関を有するよう設定する手段を含むことを特徴とする請求項２〜４いずれか記載の通信端末。
【請求項６】
前記通信システム選択手段は、最大同時接続通信システム数を有し、通信リンク品質の変化に伴って、接続中の通信システムの数が前記最大同時接続通信システム数を超えた場合、前記優先度が低い通信システムを切断することを特徴とする請求項２〜５いずれか記載の通信端末。
【請求項７】
前記接続ポリシーは、複数の通信システム毎に設定された、接続を終了すべき通信リンク品質の第二の閾値を含み、前記通信システム選択手段は、通信リンク品質の変化に伴って、前記通信リンク品質が前記第二の閾値未満となった通信システムに対する接続を切断することを特徴とする請求項１〜６いずれか記載の通信端末。
【請求項８】
前記接続ポリシーは、前記複数の通信システム毎に設定された、切断の可否を示す切断可否情報を有し、前記通信システム選択手段は、通信リンク品質の変化に伴って、前記通信リンク品質が前記第二の閾値未満でかつ前記切断可否情報が可を示す通信システムのうち、前記優先度が低い通信システムを切断することを特徴とする請求項７記載の通信端末。
【請求項９】
前記切断可否情報が否を示す通信システムについては、ユーザの手動操作に応答して、または通信リンクを維持できない程当該品質が劣化したことに応答して切断する手段を含むことを特徴とする請求項８記載の通信端末。
【請求項１０】
前記通信システム毎の前記第二の閾値と前記優先度とが負の相関を有するよう設定する手段を含むことを特徴とする請求項７〜９いずれか記載の通信端末。
【請求項１１】
前記接続ポリシーは、接続状態の変化をユーザに通知するか否かを示す通知可否情報を含み、前記複数の通信システム毎に、前記通知可否情報が可を示す場合、前記通信システム選択手段による通信システムに対する接続や切断に応答して、ユーザへの告知をなす手段を含むことを特徴とする請求項１〜１０いずれか記載の通信端末。
【請求項１２】
前記接続ポリシーは、前記複数の通信システム毎に、接続時にユーザに対する認証情報の入力を促すか否かを示す認証可否情報を含み、前記認証可否情報が可を示す場合、前記通信システム選択手段による接続開始時に、ユーザの認証情報の入力を促し、認証成功した場合には通信システムから通信のための暗号鍵を取得設定する手段を含むことを特徴とする請求項１〜１１いずれか記載の通信端末。
【請求項１３】
前記優先度、前記第一の閾値、前記第二の閾値、前記接続可否情報、前記切断可否情報、前記通知可否情報、前記認証可否情報の少なくとも一つは、前記通信システム側から通知され、これを受信して設定する手段を含むことを特徴とする請求項２〜１２いずれか記載の通信端末。
【請求項１４】
前記複数の通信システムの各々からの無線インタフェースや有線網の輻輳状態に基づく提供可能なスループットの通知を受けて、前記スループットに対して前記優先度が正の相関を有するように前記優先度を設定する手段を含むことを特徴とする請求項１〜１３いずれか記載の通信端末。
【請求項１５】
前記複数の通信システムの各々からの課金情報の通知を受けて、前記課金情報に対して前記優先度が負の相関を有するように前記優先度を設定する手段を含むことを特徴とする請求項１〜１４いずれか記載の通信端末。
【請求項１６】
前記通信システムは、無線通信システム及び有線通信システムのうち少なくとも一つであることを特徴とする請求項１〜１５いずれか記載の通信端末。
【請求項１７】
複数の通信システムに接続可能で、かつ通信リンク品質及び接続ポリシーに従って接続を開始すべき通信システムを選択するようにした通信端末との通信をなす基地局であって、前記接続ポリシーを前記通信端末へ報知する手段を含むことを特徴とする基地局。
【請求項１８】
前記接続ポリシーは、接続優先度、接続を開始すべき通信リンク品質閾値、接続の可否を示す接続可否情報、接続を終了すべき通信リンク品質の閾値、切断の可否を示す切断可否情報、接続状態の変化をユーザに通知するか否かを示す通知可否情報、接続時にユーザに対する認証情報の入力を促すか否かを示す認証可否情報の少なくとも一つであることを特徴とする請求項１７記載の基地局。
【請求項１９】
無線インタフェースや有線網の輻輳状況を観測する手段と、この観測データに基づき前記通信端末に対して提供可能なスループットを報知する手段とを含むことを特徴とする請求項１７または１８記載の基地局。
【請求項２０】
前記通信端末の接続に対してこの端末へ要求する課金条件を報知する手段を含むことを特徴とする請求項１７〜１９いずれか記載の基地局。
【請求項２１】
複数の通信システムに接続可能で、かつ通信リンク品質及び接続ポリシーに従って接続を開始すべき通信システムを選択するようにした通信端末との通信をなすネットワーク管理サーバであって、前記接続ポリシーを前記通信端末へ報知する手段を含むことを特徴とするサーバ。
【請求項２２】
前記接続ポリシーは、接続優先度、接続を開始すべき通信リンク品質閾値、接続の可否を示す接続可否情報、接続を終了すべき通信リンク品質の閾値、切断の可否を示す切断可否情報、接続状態の変化をユーザに通知するか否かを示す通知可否情報、接続時にユーザに対する認証情報の入力を促すか否かを示す認証可否情報の少なくとも一つであることを特徴とする請求項２１記載のサーバ。
【請求項２３】
無線インタフェースの輻輳状況をより受信する受信手段と、有線の輻輳状態を観測する手段と、この観測データと前記受信手段による受信データとに基づき前記通信端末に対して提供可能なスループットを報知する手段とを含むことを特徴とする請求項２１または２２記載のサーバ。
【請求項２４】
前記通信端末の接続に対してこの端末へ要求する課金条件を報知する手段を含むことを特徴とする請求項２１〜２３いずれか記載のサーバ。
【請求項２５】
複数の通信システムに接続可能な通信端末の通信システム間ハンドオーバ方法であって、前記通信端末において、通信リンク品質及び前記複数の通信システム毎に設定された接続ポリシーに基づいて接続する通信システムを決定する通信システム選択ステップを含むことを特徴とするハンドオーバ方法。
【請求項２６】
前記接続ポリシーは接続の優先度を含み、前記通信システム選択ステップは、通信リンク品質の変化に伴って、前記通信リンク品質が第一の閾値以上で、かつ前記優先度が高い通信システムに接続することを特徴とする請求項２５記載のハンドオーバ方法。
【請求項２７】
前記接続ポリシーは、前記複数の通信システム毎に設定された、接続の可否を示す接続可否情報を含み、前記通信システム選択ステップは、通信リンク品質の変化に伴って、前記通信リンク品質が前記第一の閾値以上でかつ前記接続可否情報が可を示す通信システムのうち、前記優先度が高い通信システムに接続することを特徴とする請求項２６記載のハンドオーバ方法。
【請求項２８】
前記接続可否情報が否を示す通信システムについては、ユーザの手動操作に応答して接続するステップを含むことを特徴とする請求項２７記載のハンドオーバ方法。
【請求項２９】
前記通信システム毎の前記第一の閾値と前記優先度とが負の相関を有するよう設定するステップを含むことを特徴とする請求項２５〜２８いずれか記載のハンドオーバ方法。
【請求項３０】
最大同時接続通信システム数を設け、前記通信システム選択ステップは、通信リンク品質の変化に伴って、接続中の通信システムの数が前記最大同時接続通信システム数を超えた場合、前記優先度が低い通信システムを切断することを特徴とする請求項２５〜２９いずれか記載のハンドオーバ方法。
【請求項３１】
前記接続ポリシーは、前記複数の通信システム毎に設定された、接続を終了すべき通信リンク品質の第二の閾値を含み、前記通信システム選択ステップは、通信リンク品質の変化に伴って、前記通信リンク品質が前記第二の閾値未満となった通信システムに対する接続を切断することを特徴とする請求項２５〜３０いずれか記載のハンドオーバ方法。
【請求項３２】
前記接続ポリシーは、前記複数の通信システム毎に設定された、切断の可否を示す切断可否情報を含み、前記通信システム選択ステップは、通信リンク品質の変化に伴って、前記通信リンク品質が前記第二の閾値未満でかつ前記切断可否情報が可を示す通信システムのうち、前記優先度が低い通信システムを切断することを特徴とする請求項３１記載のハンドオーバ方法。
【請求項３３】
前記切断可否情報が否を示す通信システムについては、ユーザの手動操作に応答して、または通信リンクを維持できない程当該品質が劣化したことに応答して切断するステップを含むことを特徴とする請求項３２記載のハンドオーバ方法。
【請求項３４】
前記通信システム毎の前記第二の閾値と前記優先度とが負の相関を有するよう設定するステップを含むことを特徴とする請求項３１〜３３いずれか記載のハンドオーバ方法。
【請求項３５】
前記接続ポリシーは、前記複数の通信システム毎に、接続状態の変化をユーザに通知するか否かを示す通知可否情報を含み、前記通知可否情報が可を示す場合、前記通信システム選択ステップによる通信システムに対する接続や切断に応答して、ユーザへの告知をなすステップを含むことを特徴とする請求項２５〜３４いずれか記載のハンドオーバ方法。
【請求項３６】
前記接続ポリシーは、前記複数の通信システム毎に、接続時にユーザに対する認証情報の入力を促すか否かを示す認証可否情報を含み、前記認証可否情報が可を示す場合、前記通信システム選択ステップによる接続開始時に、ユーザの証情報の入力を促し、認証成功した場合には通信システムから通信のための暗号鍵を取得設定するステップを含むことを特徴とする請求項２５〜３５いずれか記載のハンドオーバ方法。
【請求項３７】
前記優先度、前記第一の閾値、前記第二の閾値、前記接続可否情報、前記切断可否情報、前記通知可否情報、前記認証可否情報の少なくとも一つを、前記通信システム側から通知するステップと、前記通信端末側でこれを受信して設定するステップとを含むことを特徴とする請求項２６〜３６いずれか記載のハンドオーバ方法。
【請求項３８】
前記複数の通信システムの各々から無線インタフェースや有線網の輻輳状態に基づく提供可能なスループットの通知をなすステップと、前記通信端末側で、前記スループットに対して前記優先度が正の相関を有するように前記優先度を設定するステップを含むことを特徴とする請求項２５〜３７いずれか記載のハンドオーバ方法。
【請求項３９】
前記複数の通信システムの各々からの課金情報の通知をなすステップと、前記通信端末側で、この課金情報を受信するステップと、前記課金情報に対して前記優先度が負の相関を有するように前記優先度を設定するステップを含むことを特徴とする請求項２５〜３８いずれか記載のハンドオーバ方法。
【請求項４０】
前記通信システムは、無線通信システム及び有線通信システムの少なくとも一つであることを特徴とする請求項２５〜３９いずれか記載のハンドオーバ方法。
【請求項４１】
複数の通信システムに接続可能な通信端末が通信システム間でハンドオーバする機能を有するネットワークシステムであって、前記通信端末は、通信リンク品質及び接続ポリシーに従って接続する通信システムを決定する手段を含むことを特徴とするネットワークシステム。
【請求項４２】
前記接続ポリシーを前記通信端末へ報知する手段を含むことを特徴とする請求項４１記載のネットワークシステム。
【請求項４３】
前記接続ポリシーは、接続優先度、接続を開始すべき通信リンク品質閾値、接続の可否を示す接続可否情報、接続を終了すべき通信リンク品質の閾値、切断の可否を示す切断可否情報、接続状態の変化をユーザに通知するか否かを示す通知可否情報、接続時にユーザに対する認証情報の入力を促すか否かを示す認証可否情報の少なくとも一つであることを特徴とする請求項４１または４２記載のネットワークシステム。
【請求項４４】
無線インタフェースや有線網の輻輳状況を観測する手段と、この観測データに基づき前記通信端末に対して提供可能なスループットを報知する手段とを含むことを特徴とする請求項４１〜４３いずれか記載のネットワークシステム。
【請求項４５】
前記通信端末の接続に対してこの端末へ要求する課金条件を報知する手段を含むことを特徴とする請求項４１〜４４いずれか記載のネットワークシステム。
【請求項４６】
複数の通信システムに接続可能な通信端末の動作を制御するコンピュータ読取り可能なプログラムであって、通信リンク品質及び前記複数の通信システム毎に設定された接続ポリシーに基づいて接続する通信システムを決定する通信システム選択ステップを含むことを特徴とするプログラム。
【請求項４７】
複数の通信システムに接続可能で、かつ通信リンク品質及び接続ポリシーに基づいて接続する通信システムを決定するようにした通信端末との通信をなす基地局の動作を制御するコンピュータ読取り可能なプログラムであって、前記接続ポリシーを前記通信端末へ報知するステップを含むことを特徴とするプログラム。
【請求項４８】
複数の通信システムに接続可能で、かつ通信リンク品質及び接続ポリシーに基づいて接続する通信システムを決定するようにした通信端末との通信をなすネットワーク管理サーバの動作を制御するコンピュータ読取り可能なプログラムであって、前記接続ポリシーを前記通信端末へ報知するステップを含むことを特徴とするプログラム。
【発明の詳細な説明】
【０００１】
【発明の属する技術分野】
本発明は、無線システムにおける通信端末、基地局、サーバ、ネットワークシステム及びハンドオーバ方法に関し、特に複数の無線システムに対して接続可能な端末におけるシステムの選択、接続および切断の方式に関するものである。
【０００２】
【従来の技術】
一般に、無線ＬＡＮ（Ｌｏｃａｌ  Ａｒｅａ  Ｎｅｔｗｏｒｋ）や携帯電話などの無線システムでは、無線端末は無線基地局を介して他の無線端末や有線網の端末と通信をおこなう。無線端末同士が直接無線信号をやりとりするアドホックモードと呼ばれる通信形態も存在するが、本発明では考慮しない。一つの無線基地局がカバーするエリアは限られているため、無線端末は移動するともに、隣接する無線基地局に適宜接続を切り替えるハンドオーバをおこない、通信の継続を図る。
【０００３】
通常、無線事業者が定義するシステム識別子や周波数帯、変復調方式等が等しい同一の無線システム内におけるハンドオーバの場合、主に無線端末と複数の無線基地局との間の無線リンクの品質を比較することによって、より無線リンク品質の優れる無線基地局を選択してハンドオーバを実行する。同一無線システム内におけるハンドオーバは既に十分確立された技術であり、アルゴリズムの例としては、非特許文献１に記載されている。
【０００４】
一方、異なる無線システム間を無線端末が移動する場合、ハンドオーバの基準は、無線リンク品質よりもむしろ利用者によって設定された当該無線システムに対する優先度に従うことが多い。また、一般的に無線システム間でハンドオーバを実行するタイミングは、無線には無線端末の起動時、または無線システムの圏外から圏内に移動した場合に限られ、通信の最中に無線システムを切り替えることは稀である。無線システム間ハンドオーバに係る公知技術としては、非特許文献２，３，４がある。
【０００５】
非特許文献２では、無線ＬＡＮ端末の利用者が予め自動的に接続可能な無線ＬＡＮのシステム名（ＩＥＥＥ  ８０２．１１  仕様におけるＳｅｒｖｉｃｅ  Ｓｅｔ  ＩＤ）を優先度順に登録し、必要に応じて無線リンク層における認証や暗号化に用いる情報をあわせて設定する方法が示されている。この場合、無線ＬＡＮ端末の起動時や、無線ＬＡＮ端末が無線ＬＡＮのサービス圏外から登録済みのいずれかの無線ＬＡＮのサービス圏内に移動した場合、この優先度に従い最も優先度の高い無線ＬＡＮシステムを選択して接続する。
【０００６】
本方式に従うシステム間ハンドオーバでは、無線リンクが確立できさえすればそれ以上リンク品質を評価せず、常に最も優先度の高い無線システムに接続することになる。従い、利用者が静止状態にあり無線リンク品質に変動がほぼ無ければ問題はないが、利用者の移動にともない接続中の無線システムとの間の無線リンク品質がしばしばリンクを維持できない程度にまで劣化する場合は、頻繁なリンク断と再接続が発生するという問題があった。また、無線端末の移動によってより優先度の高い無線ＬＡＮとの無線リンク品質が十分に良くなったとしても、接続中の無線ＬＡＮから切断されない限り、より優先度の高い無線ＬＡＮに接続を切り替えられないという問題があった。
【０００７】
参考文献３では、携帯電話端末の起動時または携帯電話のサービス圏外から圏内へと移動した際に、自動的に無線事業者を選択する方法が示されている。このとき、端末はまず利用者が契約しているホーム無線事業者（Ｈｏｍｅ  Ｐｕｂｌｉｃ  Ｌａｎｄ  Ｍｏｂｉｌｅ  Ｎｅｔｗｏｒｋ：  ＨＰＬＭＮ）  のシステムへの接続を試みる。ＨＰＬＭＮ  に接続できなかった場合には、次に端末内のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）における”Ｕｓｅｒ  Ｃｏｎｔｒｏｌｌｅｄ  ＰＬＭＮ  Ｓｅｌｅｃｔｏｒ”  フィールドに記載された無線事業者のシステムに対して接続を試み、さらに”Ｏｐｅｒａｔｏｒ  Ｃｏｎｔｒｏｌｌｅｄ  ＰＬＭＮ  Ｓｅｌｅｃｔｏｒ”  フィールドに記載された無線事業者のシステムに対して接続を試みる。上記のステップを経てなお接続可能な無線事業者のシステムが見つからない場合、十分な受信信号品質の無線事業者のシステムをランダムに選択して接続し、さらに十分な受信信号品質の無線事業者のシステムが見つからない場合には、受信信号強度が強い順番に無線事業者のシステムを選択する。
【０００８】
本方式に従うシステム間ハンドオーバでは、一度無線システムに接続するとそのサービス圏外にまで移動するか、あるいはユーザの手動操作がおこなわれるまではシステムの再選択がおこなわれない。従い、非特許文献２の方式と同様に、ホーム無線事業者との無線リンク品質がしばしばリンクを維持できない程度にまで劣化する場合には頻繁なリンク断と再接続が発生するという問題があった。また、携帯電話サービスの場合、一般にホーム無線事業者とそれ以外の無線事業者では利用者に対する課金体系が異なるため、必ずしも利用者が自動的に選択された無線事業者に自動的に接続を望まない場合もある。しなし、非特許文献３の方式の場合、上記の手順に従い自動的に無線システムを選択して接続を試みてしまうという問題があった。
【０００９】
非特許文献４では、無線システムｎのリンク帯域パラメータをＢｎ、電力消費パラメータをＰｎ、課金条件をＣｎとし、重み付けパラメータｗｂ、ｗｐ、ｗｃを用いて接続コスト関数
ｆｎ（Ｂｎ，Ｐｎ，Ｃｎ）＝ｗｂ・ｌｎ（１／Ｂｎ）＋ｗｐ・ｌｎ（Ｐｎ）＋ｗｃ・ｌｎ（Ｃｎ）
を複数の無線システムにわたって定期的に評価することにより、最も接続コストの低い無線システムを選択および再選択する方法が示されている。無線システムの例としては、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）方式の携帯電話、無線ＬＡＮおよび赤外線ネットワークが挙げられている。上記の接続コスト関数には無線リンク品質が含まれていないので、ハンドオーバがおこなわれるのは既存の無線システムとのリンクを切断したときか、あるいは新たな無線システムとのリンクを確立したときである。
【００１０】
この非特許文献４の場合、無線リンク品質劣化時における頻繁なリンク断と再接続を防ぐため、ハンドオーバ後経過時間が規定値以上でなければ次のハンドオーバを実行しないように、時間的なヒステリシスを持たせて安定化を図る方法が提案されている。しかしながら、非特許文献４では、上記接続関数の重み付けパラメータを利用者が手動で設定する必要があり、ネットワークの知識が少ない利用者にとっては設定が難しいという問題があった。また、リンク帯域はリンクの物理速度のみを用いており、ネットワークの輻輳状況等運用状況によって変る部分が反映されないという問題があった。さらに、同時にリンクを確立可能な無線システムの数に制限をもたせておらず、リンク確立中の無線システムの数が多くなるに従い無線端末の消費電力が増大してしまうという問題があった。
【００１１】
また、非特許文献４のように、交換方式、変調方式や伝送媒体が異なるシステムの切り替えにおいては、システムの持つ特性も異なる。例えば、ＧＳＭ方式の携帯電話では伝送速度は遅いものの回線交換方式を用いるため安定した電話サービスが提供できるが、無線ＬＡＮでは、伝送速度は速いものの衝突を許すパケット交換方式を用いるため電話サービスの安定性が下がる。この例の場合、電話サービスを利用する利用者は、無線ＬＡＮが利用可能であってもＧＳＭ方式の携帯電話によるサービスの提供を望むこともある。一方、ＧＳＭ方式の携帯電話を用いてデータ伝送サービスを利用する利用者は、無線ＬＡＮが利用可能になれば、即座に無線ＬＡＮへ切り替えてデータ通信サービスを利用することを望む。このように、利用者が利用する通信サービスに即した制御が行うことができないという問題がある。
【００１２】
【非特許文献１】
Ｇ．  Ｐ．  Ｐｏｌｌｉｎｉ、”Ｔｒｅｎｄｓ  ｉｎ  Ｈａｎｄｏｖｅｒ  Ｄｅｓｉｇｎ”  、ＩＥＥＥ  Ｃｏｍｍｕｎｉｃａｔｉｏｎｓ  Ｍａｇａｚｉｎｅ、Ｍａｒｃｈ  １９９６、ｐ８２−ｐ９０  ”
【００１３】
【非特許文献２】
Ｍｉｃｒｏｓｏｆｔ  Ｗｉｎｄｏｗｓ（Ｒ）  ＸＰ  Ｏｐｅｒａｔｉｎｇ  Ｓｙｓｔｅｍ、Ｗｉｒｅｌｅｓｓ  Ｚｅｒｏ  Ｃｏｎｆｉｇｕｒａｔｉｏｎ  Ｓｅｒｖｉｃｅ  、ｈｔｔｐ：／／ｗｗｗ．ｍｉｃｒｏｓｏｆｔ．ｃｏｍ／ｔｅｃｈｎｅｔ／ｃｏｌｕｍｎｓ／ｃａｂｌｅｇｕｙ／ｃｇ１１０２．ａｓｐ
【００１４】
【非特許文献３】
３ＧＰＰ（３ｒｄ  Ｇｅｎｅｒａｔｉｏｎ  Ｐａｒｔｎｅｒｓｈｉｐ  Ｐｒｏｊｅｃｔ）  、ＴＳ  （Ｔｅｃｈｎｉｃａｌ  Ｓｐｅｃｉｆｉｃａｔｉｏｎ）  ２２．０１１  ”Ｓｅｒｖｉｃｅ  Ａｃｃｅｓｓｉｂｉｌｉｔｙ”，  Ｓｅｃｔｉｏｎ  ３．２．２．２  Ａｔ  ｓｗｉｔｃｈ−ｏｎ  ｏｒ  ｒｅｃｏｖｅｒｙ  ｆｒｏｍ  ｌａｃｋ  ｏｆ  ｃｏｖｅｒａｇｅ  、Ａ）  Ａｕｔｏｍａｔｉｃ  ｎｅｔｗｏｒｋ  ｓｅｌｅｃｔｉｏｎ  ｍｏｄｅ
【００１５】
【非特許文献４】
Ｈｅｌｅｎ  Ｊ．  Ｗａｎｇほか、”Ｐｏｌｉｃｙ−Ｅｎａｂｌｅｄ  Ｈａｎｄｏｆｆｓ  Ａｃｒｏｓｓ  Ｈｅｔｅｒｏｇｅｎｅｏｕｓ  Ｗｉｒｅｌｅｓｓ  Ｎｅｔｗｏｒｋｓ”，  ２ｎｄ  ＩＥＥＥ  Ｗｏｒｋｓｈｏｐｓ  ｏｎ  Ｍｏｂｉｌｅ  Ｃｏｍｐｕｔｉｎｇ  ａｎｄ  Ａｐｐｌｉｃａｔｉｏｎｓ  （ＷＭＣＳＡ  ’９９），  Ｎｅｗ  Ｏｒｌｅａｎｓ，  ＬＡ，  Ｆｅｂｒｕａｒｙ  １９９９
【００１６】
【発明が解決しようとする課題】
以上述べたように、従来の無線システム間ハンドオーバ技術では、接続中の無線システムとの間の無線リンク品質によってしばしば頻繁なリンク断と再接続が発生したり、より優先度の高い無線システムに自動的に切り替えられないという問題があった。
【００１７】
より優先度の高い無線システムに自動的に切り替えられないという問題について、図３６、図３７を用いて詳細に説明する。図３６では、無線システムＡ、Ｂ、Ｃの３システムが存在しており、１０００、１０１０、１０２０は、それぞれ、無線システムＡ、Ｂ、Ｃから安定した通信サービスが提供できるエリアを示している。ここで、利用者がＡ地点で利用者の端末に電源を入れて通信を開始し、Ｂ地点を経由してＣ地点まで移動経路１０３０のように移動したとする。また、利用者の接続優先度は、無線通信システムＡ、無線通信システムＢ、無線通信システムＣの順で高くなっているとする。
【００１８】
また、図３７は、移動経路１０３０にしたがって、利用者が移動したときの利用者の端末で受信する受信信号レベルを模式的に示したものである。図において、１００１、１０１１、１０２１は、それぞれ、無線通信システムＡ、Ｂ、Ｃの受信レベルを示す。また、安定した通信を行うために必要な最低限な受信信号レベルとしては、信号レベル１０３１で示される信号レベルとする。
【００１９】
このような状況において、まず、利用者がＡ地点からＢ地点まで移動する場合を考える。利用者が端末の電源を入れるＡ地点では、無線システムＡ、Ｂが接続可能であり、接続優先度としては、無線システムＢの方が無線通信システムＡよりも高いので、利用者の端末は無線システムＢへ接続する。移動経路１０３０にしたがって移動すると、無線システムＣから安定した通信サービスが受けられる領域に入ると、無線システムＣからの受信信号レベルが信号レベル１０３１を超える。
【００２０】
一方、端末の電源を入れた時点で接続した無線システムＢの受信信号レベルも、信号レベル１０３１を超えており、安定した通信を行うことができる。このとき、利用者としては、端末へ電源を入れた時点では接続不可能であったが、接続優先度が高い無線システム無線システムＣから安定した通信サービスを受けられる状況になれば、無線システムＣに即座に接続切替（ハンドオーバ）することを望む。しかしながら、従来技術では、無線システムＢから安定した通信が受けられるため、無線通信システムＣにハンドオーバすることはない。
【００２１】
さらに、Ｂ地点からＣ地点へ移動すると、無線システムＢのサービスエリア境界である１０１０を越え、無線システムＢからの受信信号レベルは、信号レベル１０３１を下回る。従来技術では、この時点で、再度、安定した通信サービスを受けることができる無線システムを検索する。このとき、無線システムＡと無線システムＣが接続システムの候補として検出され、接続優先度に基づき、優先度が高い無線システムＣへハンドオーバされる。
【００２２】
利用者の接続優先度と安定した通信サービスを両立するためには、本来、Ａ地点からＢ地点への移動の途中、無線システムＣのサービスエリア境界である１０２０を越えた時点で、接続優先度が高く、かつ、安定した通信サービスを受けられる無線通信システムＣにハンドオーバされることが望ましい。しかしながら、従来技術では、上述のように、Ｂ地点からＣ地点へ移動するまで、無線システムＣへハンドオーバされることはない。
【００２３】
また、各々の無線システムの課金体系が異なる場合、必ずしも利用者が自動的な接続を望まない場合も、自動的に無線システムを選択して接続を試みてしまうという問題があった。
【００２４】
また、各々の無線システムのリンク帯域、電力消費量、課金条件等を組み合わせてシステム間ハンドオーバの条件判定をおこなう場合、その組み合わせ方法を利用者が手動で設定しなければならず、ネットワークの知識が少ない利用者にとっては設定が難しく、またネットワークの動的な運用状況を反映できないという問題があった。
【００２５】
そこで、本発明は、利用者によって設定される無線システムの優先度や自動接続の可否条件などの接続ポリシー情報と、各々の無線システムとの無線リンク品質に応じて、無線システム間のハンドオーバを安定して実現することを目的とする。
【００２６】
本発明の他の目的は、無線端末から同時に確立可能な無線リンクの数に制限を設けて無線端末の消費電力を抑制し、ハンドオーバの条件判定において輻輳状態などネットワークの運用状況を動的に取り込み反映させることである。
【００２７】
本発明のさらに他の目的は、同時にリンクを確立可能な無線システムの数に制限が無く、リンク確立中の無線システムの数が多くなるに従い無線端末の消費電力が増大してしまうという問題を解消することである。
【００２８】
【課題を解決するための手段】
本発明による通信端末は、複数の通信システムに接続可能な通信端末であって、通信リンク品質及び前記複数の通信システム毎に設定された接続の優先度を含む接続ポリシーに基づいて接続する通信システムを決定する通信システム選択手段を含むことを特徴とする。
【００２９】
本発明による基地局は、複数の通信システムに接続可能で、かつ通信リンク品質及び接続ポリシーに基づいて接続する通信システムを決定するようにした通信端末との通信をなす基地局であって、前記接続ポリシーを前記通信端末へ報知する手段を含むことを特徴とする。
【００３０】
本発明によるサーバは、複数の通信システムに接続可能で、かつ通信リンク品質及び接続ポリシーに基づいて接続する通信システムを決定するようにした通信端末との通信をなすサーバであって、前記接続ポリシーを前記通信端末へ報知する手段を含むことを特徴とする。
【００３１】
本発明による通信システム間ハンドオーバ方法は、複数の通信システムに接続可能な通信端末の通信システム間ハンドオーバ方法であって、前記通信端末において、通信リンク品質及び前記複数の通信システム毎に設定された接続ポリシーに基づいて接続する通信システムを決定する通信システム選択ステップを含むことを特徴とする。
【００３２】
本発明によるネットワークシステムは、複数の通信システムに接続可能な通信端末が通信システム間でハンドオーバする機能を有するネットワークシステムであって、前記通信端末は、通信リンク品質及び接続ポリシーに従って接続を開始すべき通信システムを選択する手段を含むことを特徴とする。
【００３３】
本発明によるプログラムは、複数の通信システムに接続可能な通信端末の動作を制御するコンピュータ読取り可能なプログラムであって、通信リンク品質及び前記複数の通信システム毎に設定された接続ポリシーに基づいて接続する通信システムを決定する通信システム選択ステップを含むことを特徴とする。
【００３４】
本発明による他のプログラムは、複数の通信システムに接続可能で、かつ通信リンク品質及び接続ポリシーに基づいて接続する通信システムを決定するようにした通信端末との通信をなす基地局の動作を制御するコンピュータ読取り可能なプログラムであって、前記接続ポリシーを前記通信端末へ報知するステップを含むことを特徴とする。
【００３５】
本発明による更に他のプログラムは、複数の通信システムに接続可能で、かつ通信リンク品質及び接続ポリシーに従って接続する通信システムを決定するようにした通信端末との通信をなすネットワーク管理サーバの動作を制御するコンピュータ読取り可能なプログラムであって、前記接続ポリシーを前記通信端末へ報知するステップを含むことを特徴とする。
【００３６】
本発明の作用を述べる。ユーザである通信端末の利用者によって設定される各々の通信システムの優先度や自動接続の可否条件などの接続ポリシー情報と、各々の通信システムとの通信リンク品質とに応じて、接続を開始すべき通信システムを選択するよう構成する。こうすることにより、通信システム間のハンドオーバを安定して実現することが可能となる。さらに、通信端末から同時に確立可能な通信リンクの数に制限を設けて通信端末の消費電力を抑制し、ハンドオーバの条件判定において輻輳状態などネットワークの運用状況を動的に取り込み反映させることが可能となる。
【００３７】
【発明の実施の形態】
以下、本発明の実施の形態について図面を参照しながら詳細に説明する。図１に本発明の第１の実施の形態における無線端末および無線システムの接続関係を示す。無線システムは、有線網、無線基地局、有線リンク、無線リンクおよびネットワーク管理サーバから構成される。無線システムの例としては、ＩＥＥＥ  ８０２．１１  仕様に従う無線ＬＡＮシステム、３ＧＰＰ仕様に従う携帯電話システムなどが挙げられるが、必ずしもこれらに限定されない。また、同じ技術仕様に従う無線システムであっても、異なる管理主体によって独立な無線システム識別子が割り当てられている場合は、それぞれ別の無線システムとみなす。各々の無線システムが地理的に近接し、一部がオーバラップして存在する場合、無線端末は起動や移動に伴い一つ以上の無線システムを選択し、外部網へと接続する。
【００３８】
無線システムＡのサービスエリア１００では、無線端末１０、１１が無線基地局２０に接続され、無線リンク２００、２０１を介してデータ通信をおこなう。無線基地局２０、２１はそれぞれ有線リンク３００、３０１を介して無線システムＡの有線網３０に接続され、さらに有線リンク３１０、３２０を介してそれぞれネットワーク管理サーバ４０、外部網５０へと接続される。無線システムＢのサービスエリア１０１では、無線端末１２、１３、１４が無線基地局２２に接続されており、無線リンク２０３、２０４、２０２を介してデータ通信をおこなう。無線端末１２は無線システムＢの無線基地局２２または無線システムＡの無線基地局２１のいずれにも接続可能であるが、ここでは無線システムＢの無線基地局２２に接続されている。
【００３９】
無線基地局２２は有線リンク３０２を介して無線システムＢの有線網３１に接続され、さらに有線リンク３１１、３２１を介してそれぞれネットワーク無線リソース管理サーバ４１、外部網５０へと接続される。無線システムＣのサービスエリア１０２では、無線端末１５が無線基地局２３、無線端末１６、１７が無線基地局２４に接続され、無線リンク２０６、２０７、２０５を介してデータ通信をおこなう。無線端末１５、１６は無線システムＢの無線基地局２２または無線システムＣの無線基地局２３、２４のいずれにも接続可能であるが、ここではそれぞれ無線システムＢの無線基地局２３、２４に接続されている。無線基地局２３、２４は有線リンク３０３、３０４を介して無線システムＣの有線網３２に接続され、さらに有線リンク３１２、３２２を介してそれぞれネットワーク管理サーバ４２、外部網５０へと接続される。
【００４０】
次に、図２に本発明の第１の実施の形態における無線端末１０の内部構成を示す。無線受信器６０は無線リンク２００より無線信号を受信すると、物理層の復調およびデータリンク層の終端動作をおこない、受信データ４００、４０２、４０３をＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ  ）処理手段６９、無線システム情報取得回路６２、無線リンク品質取得回路６３へと出力する。また、無線送信器６１は、入力された送信データ４０１に対しデータリンク層の終端動作および物理層の変調をおこない、無線リンク２００へと無線信号を送信する。
【００４１】
図２において、無線受信器６０と無線送信器６１は複数示してあるが、これらはそれぞれ最低限１個あれば良い。同時に、複数の無線システムに接続を要求する場合は、同時接続数に応じて無線受信器と無線送信器の組が必要となる。無線システム情報取得回路６２は、無線システムより報知される無線システム識別子など、接続に必要な無線システム情報を取得し、ハンドオーバ判定手段６５および無線システム登録手段６６へと出力する。無線リンク品質取得回路６３は、サービス圏内にある無線システムの無線基地局と無線端末との間の無線リンク品質を測定し、その結果をハンドオーバ判定手段６５へと出力する。
【００４２】
無線システム接続及び切断手段６４は、ハンドオーバ判定手段の要求を受けて無線システムへの接続と切断の指示、および各種コンフィギュレーションの変更を無線受信器６０、無線送信器６１に対しておこなう。ハンドオーバ判定手段６５は、入力された情報に基きハンドオーバの判定をおこなう。無線システム登録手段６６は、利用者から入力された無線システム情報、優先度、自動接続の無線リンク品質閾値などを記憶し、ハンドオーバ判定手段６５と接続状態表示手段６７に無線システム登録情報を出力する。接続状態表示手段６７は、接続中、登録済み、未登録だがサービス圏内にある無線システムの情報を無線リンク品質とともに、利用者に対して表示する。手動接続／切断手段６８は、利用者の手動操作による無線システムへの接続／切断を受け、ハンドオーバ判定手段６５に対して手動接続／切断指示情報を出力する。ＴＣＰ／ＩＰ処理手段６９およびアプリケーション実行手段７０は、無線端末上で通信アプリケーションを実行するためデータの送受信を行う。
【００４３】
また、データ伝送、音声通信といったアプリケーションによって、ハンドオーバ制御を切り替えるためには、図３に示すように、図２のブロックに対して、アプリケーション選択手段７８を導入するとともに、各アプリケーション用の無線システム登録手段６６を持つ。アプリケーション選択手段７８は、アプリケーション実行手段７０から実行中のアプリケーション情報を入力し、適切な無線システム登録手段を選択する。なお、一般的な端末ではアプリケーションによらず転送経路が一意に定められるので、このようなアプリケーションに応じたハンドオーバ制御を導入するには、アプリケーション毎に入出力インタフェースを指定できるように無線端末が対応する必要がある。
【００４４】
さらに、複数のアプリケーションから要求される接続先無線システムがそれぞれ異なり、同時に接続不可能な状況もあり得る。従い、アプリケーションによってハンドオーバ制御を切り替えるには、予めアプリケーションに対しても優先度を設定しておき、優先度の高いアプリケーションによって指定された接続先無線システムを選択するといったように、接続先無線システムの競合を調停する必要もある。
【００４５】
図４に本発明の第１の実施の形態における無線基地局２０の内部構成を示す。無線受信器８０および無線送信器８１は無線リンク２００、２０１を介して送受信する無線信号の変復調処理およびデータリンク層終端処理をおこなう。有線受信器８２および有線送信器８３は有線リンク３００を介して送受信する信号の変復調処理およびデータリンク層終端処理をおこなう。データ転送手段８４は、無線受信器８０、無線送信器８１、有線受信器８２、有線送信器８３との間でデータ転送処理をおこなう。
【００４６】
また、データ転送手段８４は、無線システム情報同報手段８６から入力された同報送信データの無線送信器８１に対する出力もおこなう。統計情報取得手段８５は、送受信データ情報４５５から統計データ４５７を生成し、ネットワーク管理サーバ通信手段８７へと出力する。無線システム情報同報手段８６は、無線システム識別子などの無線システム情報を配下の無線端末に対して同報するためのデータを生成し、データ転送手段８４に出力する。
【００４７】
ネットワーク管理サーバ通信手段８７は、ネットワーク管理サーバと通信するためのプロトコル処理をおこない、統計情報の出力や異常時のトラップ生成などをおこなう。また、ネットワーク管理サーバ通信手段８７がネットワーク管理サーバより無線基地局の設定変更を要求された場合は、コンフィギュレーション情報をデータ転送手段８４、および無線送受信機８０、８１、有線送受信器８２、８３に出力して各種設定変更を実行する。
【００４８】
図５は本発明の第１の実施の形態において、無線基地局２０が配下の無線端末に同報送信する無線システム情報を示す図である。無線システム情報９５０は、宛先無線端末識別子９６０、送信元基地局識別子９６１、パケット種別９６２、および無線システム識別子Ｎ９６３からなる。無線システム情報を同報する場合、宛先無線端末識別子９６０はブロードキャストアドレスを設定する。送信元基地局識別子９６１には無線基地局２０のアドレスを設定する。
【００４９】
パケット種別フィールド９６２は、通常データと管理データ類を識別するために使用し、ここでは無線システム情報を表す識別子を設定する。無線システム識別子（Ｎ）９６３は、管理主体によって設定される無線システム識別子である。例えば、ＩＥＥＥ  ８０２．１１  仕様に従う無線システムの場合、Ｓｅｒｖｉｃｅ  Ｓｅｔ  Ｉｄｅｎｔｉｆｉｅｒ（ＳＳＩＤ）が無線システム識別子に相当する。
【００５０】
図６に本発明の第１の実施の形態における無線端末１０の無線システム登録情報５００を示す。登録する情報は、無線インタフェース５１０、システム識別子（Ｎ）５２０、接続の優先度（Ｐ）５３０、および接続開始無線リンク品質閾値（Ｑ１）５４０である。無線インタフェース５１０はＷＬＡＮ（無線ＬＡＮ）、Ｃｅｌｌｕｌａｒ（携帯電話）などのインタフェース情報を設定する。もし無線端末がただ一つの無線インタフェースしか持たない場合、無線インタフェース情報５１０は省略可能である。システム識別子（Ｎ）５２０のフィールドには無線システムのシステム識別子を登録する。
【００５１】
図６の場合、ＯＦＦＩＣＥ１  、ＬＯＵＮＧＥ１、ＬＯＵＮＧＥ２  、ＰＵＢＬＩＣ１、ＰＵＢＬＩＣ２  の５種類のシステム識別子が登録されている。接続の優先度（Ｐ）５３０には、利用者が指定した無線システムに対する接続の優先度を登録する。図６の場合、０から７までの８段階の優先度が定義されている。接続開始無線リンク品質閾値（Ｑ１）情報は、自動的に接続を開始するために必要な無線リンク品質の閾値情報を設定する。リンク品質の評価の方法は信号レベルを用いる法、信号レベル対干渉レベル比を用いる方法、パケット誤り率を用いる方法、再送確率を用いる方法など様々である。
【００５２】
ここでは、一例として、無線受信器の受信感度（パケット損失率が１％となる受信信号レベル）を基準にとり、無線端末が無線基地局より受信した信号レベルと受信感度との差分を閾値Ｑ１と比較する。Ｑ１を０に近くとった場合には無線リンクが利用可能になるとすぐに接続することになるため、より接続の条件が緩くなることになる。Ｑ１を大きくとると初期接続の条件が厳しくなり、接続後の通信は比較的安定することになる。
【００５３】
図７に、本発明の第１の実施の形態において、無線端末１０の無線システム登録手段６６が無線システム情報を登録／更新する際のフローチャートを示す。利用者より無線システム登録手段６６に無線システム情報が入力されると（ステップ８０１）、まず無線インタフェース情報と無線システム識別子Ｎを設定する（ステップ８０２）。次に、利用者から、接続の優先度Ｐの指定があるかどうかをチェックし（ステップ８０３）、指定された場合はその値を設定し（ステップ８０４）、指定されていない場合はデフォルトの接続優先度を設定する（ステップ８０５）。
【００５４】
また、利用者から、接続開始無線リンク品質閾値Ｑ１の指定があるかどうかをチェックし（ステップ８０６）、指定された場合はその値を設定し（ステップ８０７）、指定されていない場合はデフォルトの接続開始無線リンク品質閾値を設定する（ステップ８０８）。これらの設定した情報は、ハンドオーバ判定手段６５および接続状態表示手段６７に出力される（ステップ８０９、８１０）。
【００５５】
図８に、本発明の第１の実施の形態において、無線端末１０のハンドオーバ判定手段６５がおこなうハンドオーバ処理のフローチャートを示す。ハンドオーバの判定は周期的におこない、判定タイミングになると一連の判定処理を開始する（ステップ６０１）。まず、無線システム登録手段６６より無線システム登録情報を取得し（ステップ６０２）、無線システム情報取得回路６２より接続可能な無線システムの識別子リストを取得し（ステップ６０３）、無線リンク品質取得回路６３より接続可能な無線システムに対する無線リンク品質を取得する（ステップ６０４）。
【００５６】
次に、高優先度の無線システムから順に接続先候補を選択し（ステップ６０５）、無線システムの自動接続処理（ステップ６０７）をおこなう。すべての無線システムに対してこの処理をおこなった後、次のハンドオーバの判定タイミングをスケジュールし（ステップ６０６）、休止する。
【００５７】
図９は図８における無線システム自動接続処理６０７の詳細を示すフローチャートである。まず、選択した無線システムに属する基地局のうち、無線端末との間の無線リンク品質が最も良い基地局を接続先候補として選択する（ステップ６１１）。この基地局に対し既に接続中かどうかを調べ（ステップ６１２）、接続中の基地局であればそのまま処理を終了する（ステップ６１３）。接続中の基地局でない場合は、接続先候補の基地局と無線端末間の無線リンク品質をＱ（ステップ６１４）、接続先候補の無線システムに対して登録済みの接続開始無線リンク品質閾値をＱ１として（ステップ６１５）、ＱとＱ１の大小関係を調べる（ステップ６１６）。
【００５８】
ＱがＱ１未満であれば処理を終了（ステップ６１７）する。ＱがＱ１以上の場合、選択した無線基地局に接続するよう無線システム接続及び切断手段６８に指示をおこない（ステップ６１８）、接続に成功したかどうかを調べる（ステップ６１９）。接続に失敗した場合は処理を終了（ステップ６２０）する。接続に成功した場合、さらに接続中の無線システムが複数あり、新たに接続した無線システムが最も優先度が高い場合（ステップ６２１）には、デフォルトルートを新たに接続した無線システムに更新する（ステップ６２２）。なお、デフォルトルートとは、当該端末が、宛先アドレスがルーティングテーブルに存在しないパケットを送信する際、転送先に設定するアドレスと出力インタフェースの組を指す。通常、デフォルトルートとして指定できるインタフェースは一つであり、複数の無線システムが同時に利用できる場合、最も優先度の高い無線システムを選ぶようにする。最後に、接続状態表示手段６７に表示更新を指示（ステップ６２３）し、処理を終了する（ステップ６２４）。
【００５９】
図１０は、本発明の第１の実施の形態において、無線端末２０のハンドオーバ判定手段６５がおこなう無線システム手動接続処理のフローチャートである。図８、９に示した自動ハンドオーバに加え、利用者の手動操作による接続処理をおこなう場合はこのフローチャートに従う。まず、手動接続／切断手段６８より新たな無線システムへの接続指示が入力された場合（ステップ６３１）、選択した無線システムに属する基地局のうち、無線端末との間の無線リンク品質が最も良い基地局を接続先候補として選択する（ステップ６３２）。
【００６０】
次に、選択した無線基地局に接続するよう無線システム接続及び切断手段６４に指示をおこない（ステップ６３３）、接続に成功したかどうかを調べる（ステップ６３４）。接続に失敗した場合は処理を終了（ステップ６３５）する。接続に成功した場合、さらに接続中の無線システムが複数あり、新たに接続した無線システムが最も優先度が高い場合（ステップ６３６）には、デフォルトルートを新たに接続した無線システムに更新する（ステップ６３７）。最後に、接続状態表示手段６７に表示更新を指示（ステップ６３８）し、処理を終了する（ステップ６３９）。
【００６１】
図１１は、本発明の第１の実施の形態において、無線端末２０のハンドオーバ判定手段６５がおこなう無線システム手動切断処理のフローチャートである。まず、手動接続及び切断手段６８より無線システム切断指示が入力された場合（ステップ６４１）、指示された無線システムの基地局に接続中であるかどうかを調べる（ステップ６４２）。接続中であれば、無線システム接続及び切断手段６８に切断の指示をおこない（ステップ６４４）、接続中でなければ処理を終了する（ステップ６４３）。
【００６２】
切断に失敗したかどうかを調べ（ステップ６４５）、切断に失敗した場合は処理を終了（ステップ６４６）する。切断に成功した場合、さらに、切断した無線システムがデフォルトルートに設定されていた場合には（ステップ６４７）、次に、優先度の高い無線システムにデフォルトルートを更新する（ステップ６４８）。最後に、接続状態表示手段６７に表示更新を指示（ステップ６４９）し、処理を終了する（ステップ６５０）。
【００５４−ａ】
以上のように、本発明によれば、無線システム毎に優先度と接続開始のリンク品質閾値を設定し、これにしたがってシステム間ハンドオーバを実行することにより、利用者の接続ポリシーを反映しつつ無線システム間のハンドオーバを安定して実現することが可能となる。
【００６３】
本発明の第２の実施の形態における、無線端末１０の無線システム登録情報５０１を図１２に示す。無線システム登録情報５０１は、図６に示した第１の実施の形態における無線システム登録情報５００に加え、自動接続フラグ（Ｆ１）情報を無線システム毎に定義する。
【００６４】
図１３は、本発明の第２の実施の形態において、無線端末１０のハンドオーバ判定手段６５がおこなう無線システム自動接続処理のフローチャートである。ハンドオーバの全体処理については、図８に示した第１の実施の形態のフローチャートと同様である。接続先候補の無線システムを選択した後、まず無線システムの自動接続フラグＦ１がＯＮに設定されているかどうかをチェックする（ステップ６６１）。このフラグＦ１がＯＮでない場合はそのまま処理を終了する（ステップ６６２）。フラグＦ１がＯＮの場合は、以下、図９に示した第１の実施の形態における無線システム自動接続処理と同様の処理をおこなう。
【００６５】
このように、無線システムの自動接続フラグを定義することにより、各々の無線システムの課金体系が異なる場合など、利用者が必ずしも自動的な接続を望まない場合には、自動的な無線システムへの接続を回避することが可能となる。
【００６６】
本発明の第３の実施の形態において、無線端末２０の無線システム登録手段６６が無線システム情報を登録／更新する際のフローチャートを図１４に示す。
【００６７】
本実施の形態では、利用者から無線システムへの接続の優先度の指定が無い場合、自動的にＱ１と優先度Ｐが負の相関を持つように設定をおこなう。無線システムの登録情報が入力された後（ステップ８２１）、優先度の設定をおこなうところまで（ステップ８２５）は、図７に示した第１の実施の形態における無線システム情報登録／更新のフローチャートと同様である。
【００６８】
次に、Ｐｍａｘを予め固定的に定める無線システムへの接続の優先度の最大値とし（ステップ８２６）、利用者から接続開始無線リンク品質閾値（Ｑ１）の指定があるかどうかを調べる（ステップ８２７）。利用者からＱ１の指定があった場合は、指定された接続開始無線リンク品質閾値をそのまま使用する（ステップ８２８）。一方、指定が無かった場合には、ΔＱ１を予め固定的に定める接続開始閾値差分（ステップ８２９）、Ｑ１を、
（デフォルトの接続開始無線リンク品質閾値）＋（Ｐｍａｘ−Ｐ）・ΔＱ１
に設定する（ステップ８３０）。
【００６９】
Ｑ１の設定が完了した後、ハンドオーバ判定手段６５に登録・更新した無線システムの情報を出力し（ステップ８３１）、接続状態表示手段６７に表示更新を指示して処理を終了する（ステップ８３２）。
【００７０】
このように、本発明によれば、Ｑ１と優先度Ｐが負の相関を持つように設定を自動化することにより、優先度の高い無線システムほど接続の条件を緩くし、より容易に選択して接続することが可能になる。
【００７１】
本発明の第４の実施の形態における、無線端末１０のハンドオーバ判定手段６５がおこなうハンドオーバ処理のフローチャートを図１５に示す。第４の実施の形態では、無線システムに対する自動接続処理に加え、接続中の該無線システムの数が最大同時接続無線システム数Ｍを超過した場合、もっとも優先度Ｐの低い無線システムから順番に選択して自動的に切断する自動切断処理をおこなう。
【００７２】
図８に示した第１の実施の形態のハンドオーバ処理と異なるのは、すべての無線システムに対して優先度の高い順に自動接続処理をおこなった後、無線システムの自動切断処理をおこなう点である（ステップ６８６）。図１６に、本発明の第４の実施の形態において、無線端末２０のハンドオーバ判定手段６５がおこなう無線システム自動切断処理のフローチャートを示す。まず、予め固定的に最大同時接続無線システム数Ｍを定めておき（ステップ６９０）、現在の接続中無線システム数がＭを超過しているかどうかを調べる（ステップ６９１）。この接続中無線システム数は、新規に無線システムに接続する度に１ずつ加算し、切断すると１ずつ減算する。
【００７３】
ただし、無線ＬＡＮのように、新規に無線システムを選択して接続すると同時に既存の無線のシステムから切断されるような場合は、加算はおこなわない。ここで、現在の接続中無線システム数がＭを超過していなければ、そのまま処理を終了する（ステップ６９３）。Ｍを超過していた場合、優先度が低い無線システムから順に切断先の候補を選択する（ステップ６９２）。ステップ６９２では、ループ処理において、既に選択した無線システムは除外して切断先候補を選択するようにする。選択した無線システムの基地局に接続中であれば（ステップ６９４）、基地局から切断するように無線システム接続及び切断手段６４に指示をおこなう（ステップ６９５）。切断に成功した場合（ステップ６９６）、さらに切断した無線システムがデフォルトルートに設定されていたかを調べ（ステップ６９７）、設定されていた場合にはデフォルトルートを次に優先度の高い接続中の無線システムに更新する（ステップ６９８）。
【００７４】
最後に、接続状態表示手段６７に表示更新を指示し（ステップ６９９）、ステップ６９１に戻る。ここで示した無線システム自動切断処理で切断されない無線システムに関しては、利用者の手動による切断操作か、もしくは無線リンクを維持できない程度にまで無線リンク品質が劣化した場合に切断処理をおこなう。
【００７５】
このように、最大同時接続無線システムＭに制限を設け、これを超過した場合は、優先度の低い無線システムから自動的に切断処理をおこなうことにより、無線端末の電力消費量の低減を図ることが可能になる。
【００７６】
本発明の第５の実施の形態における、無線端末１０の無線システム登録情報５０２を図１７に示す。無線システム登録情報５０２は、図１２に示した第２の実施の形態における無線システム登録情報５０１に加え、無線システム毎に接続終了無線リンク品質閾値（Ｑ２）情報５６０を定義する。図１８は、本発明の第５の実施の形態において、無線端末１０のハンドオーバ判定手段６５がおこなう無線システム自動切断処理のフローチャートである。
【００７７】
まず、低優先度の無線システムから順に切断先候補を選択する（ステップ７０１）。すべての無線システムについて調べた場合、処理を終了する（ステップ７０２）。無線システムを選択した場合、選択した無線システムの基地局に接続中であるかを調べる（ステップ７０３）。当該無線システムの基地局に接続中の場合は、切断先候補の基地局と無線端末間の無線リンク品質をＱとし（ステップ７０４）、切断先候補の無線システムに対して登録済みの接続終了無線リンク品質閾値をＱ２とする（ステップ７０５）。
【００７８】
次に、ＱがＱ２未満である場合は（ステップ７０６）、接続中の基地局から切断し（ステップ７０７）、さらに切断が成功し（ステップ７０８）、切断した無線システムがデフォルトルートに設定されていた場合には（ステップ７０９）、デフォルトルートを次に優先度の高い接続中の無線システムに更新する（ステップ７１０）。最後に、接続状態表示手段６７に表示更新を指示し（ステップ７１１）、ステップ７０１に戻る。本実施の形態では、Ｑ２を大きくとると当該無線システムからの切断条件が緩くなり、容易に他の無線システムへと切り替えることになる。
【００７９】
一方、Ｑ２を小さくし、Ｑ１とＱ２の差を大きくとるとハンドオーバが安定し、無線リンク品質が大きく変化する場合にも頻繁な切断と再接続を回避することが可能になる。
【００８０】
本発明の第６の実施の形態における無線端末２０の無線システム登録情報５０３を図１９に示す。第５の実施の形態における無線システム登録情報５０２に加え、無線システム登録情報５０３では、無線システム毎に自動切断フラグ（Ｆ２）情報５７０を定義する。図２０は、本発明の第６の実施の形態における無線端末２０のハンドオーバ判定手段６５がおこなう無線システム自動切断処理のフローチャートである。
【００８１】
図１８に示した第５の実施の形態の無線システム自動切断処理のフローチャートとの違いは、ステップ７１３において当該無線システムの自動切断フラグ（Ｆ２）がＯＮに設定されているかをチェックし、ＯＮの場合にのみ自動切断処理をおこなうことである。自動切断フラグＦ２がＯＮに設定されていない場合、利用者の手動操作による切断か、あるいは無線リンク品質がリンクを維持できない程度にまで劣化したときにはじめて切断することになる。
【００８２】
このように、無線システムの自動切断フラグを定義することにより、加入者の切断ポリシーに応じて自動的な切断の可否を切り替えることが可能となる。
【００８３】
本発明の第７の実施の形態において、無線端末１０の無線システム登録手段６６が無線システム情報を登録／更新する際のフローチャートを図２１に示す。図１４に示した本発明の第３の実施の形態における無線システム情報の登録／更新フローチャートとの違いは、ステップ８５１以降で、接続終了無線リンク品質閾値Ｑ２と優先度Ｐが負の相関を持つように自動的な設定をおこなっていることである。
【００８４】
この場合、まず、利用者から接続終了無線リンク品質閾値（Ｑ２）の指定があるかどうかを調べる（ステップ８５１）。利用者からＱ２の指定があった場合は、指定された接続終了無線リンク品質閾値をそのまま使用する（ステップ８５２）。指定が無かった場合には、ΔＱ２を予め固定的に定める接続終了閾値差分（ステップ８５３）、Ｑ２を、
（デフォルトの接続終了無線リンク品質閾値）＋（Ｐｍａｘ−Ｐ）・ΔＱ２
に設定する（ステップ８５４）。
【００８５】
Ｑ２の設定が完了した後、ハンドオーバ判定手段６５に登録・更新した無線システムの情報を出力し（ステップ８５５）、接続状態表示手段６７に表示更新を指示して処理を終了する（ステップ８５６）。このように、本発明によれば、Ｑ２と優先度Ｐが負の相関を持つように設定を自動化することにより、優先度の高い無線システムほど切断の条件を緩くし、より長い接続時間を与えることが可能になる。
【００８６】
本発明の第８の実施の形態における、無線端末１０の無線システム登録情報５０４を図２２に示す。無線システム登録情報５０４では、第６の実施の形態における無線システム登録情報５０３に加え、無線システム毎に接続状態変化通知フラグ（Ｆ３）情報５８０を定義する。図２３に、本発明の第８の実施の形態において、無線端末２０の接続状態表示手段６７が無線システムの接続／切断の通知をおこなう際のフローチャートを示す。接続状態表示手段６７は、ハンドオーバ判定手段６５より新たな無線システムへの接続通知を受けると（ステップ７３１）、新たに接続した無線システムの接続状態変化通知フラグＦ３がＯＮであるかを調べる（ステップ７３２）。
【００８７】
Ｆ３がＯＮであった場合には、無線端末の画面上にて、”接続開始（無線システム名）”のポップアップ表示をおこない（ステップ７３３）、さらに接続開始を通知するビープ音を発生させる（ステップ７３４）。一方、接続状態表示手段６７がハンドオーバ判定手段６５より接続中の無線システムとの切断通知を受けた場合（ステップ７３６）、切断した無線システムの接続状態変化通知フラグＦ３がＯＮであるかを調べる（ステップ７３７）。Ｆ３がＯＮであった場合、”接続終了（無線システム名）”のポップアップ表示（ステップ７３８）と接続終了を通知するビープ音の発生をおこなう（ステップ７３９）。
【００８８】
このように、無線システム間のハンドオーバを自動化するとともに、ハンドオーバの発生を利用者に対して明示的に通知することにより、利用者が意図しないハンドオーバの発生を防ぐことができる。
【００８９】
本発明の第９の実施の形態における、無線端末２０の無線システム登録情報５０５を図２４に示す。無線システム登録情報５０５では、第８の実施の形態における無線システム登録情報５０４に加え、無線システム毎に認証要求フラグ（Ｆ４）情報５９０を定義する。図２５は本発明の第９の実施の形態において、無線端末２０のハンドオーバ判定手段６５がおこなう無線システム初期認証処理のフローチャートである。
【００９０】
まず、新たな無線システムへと接続すると（ステップ７６１）、新たに接続した無線システムの認証要求フラグＦ４がＯＮであるかを調べる（ステップ７６２）。Ｆ４がＯＮであった場合、Ｗｅｂブラウザを起動し（ステップ７６４）、ＴＬＳ（Ｔｒａｎｓｐｏｒｔ  Ｌａｙｅｒ  Ｓｅｃｕｒｉｔｙ）セッションを確立して、以後送受信するメッセージを暗号化する（ステップ７６５）。次に、認証情報入力要求画面を表示し（ステップ７６６）、利用者から認証情報が入力されると（ステップ７６７）、新たに接続した無線システムに認証情報を送信する（ステップ７６８）。送信した認証情報に対し、無線システムから認証結果を取得（ステップ７６９）する。認証に成功しなければ（ステップ７７０）、接続状態表示手段６７に認証に失敗した旨の表示更新を指示して（ステップ７７１）、処理を終了する（ステップ７７２）。
【００９１】
一方、認証に成功した場合は、さらに無線システムから無線信号暗号鍵を取得し（ステップ７７３）、取得した無線信号暗号鍵を無線送信器６１および無線受信器６０に設定した後（ステップ７７４）、接続状態表示手段６７に表示更新を指示（ステップ７７５）して処理を終了する（ステップ７７６）。このように、無線システムへの自動接続と認証動作を連動させることにより、無線システム間のハンドオーバをスムーズに実現することができる。
【００９２】
本発明の第１０の実施の形態において、無線基地局２０が配下の無線端末に同報送信する無線システム情報９５１を図２６に示す。無線システム情報９５１は、図５に示した第１の実施の形態における無線システム情報９５０に加えて、接続の優先度（Ｐ）情報９６４、接続開始無線リンク品質閾値（Ｑ１）情報９６５、自動接続フラグ（Ｆ１）情報９６６、接続終了無線リンク品質閾値（Ｑ２）情報９６７、自動切断フラグ（Ｆ２）情報９６８、接続状態変化通知フラグ（Ｆ３）情報９６９、認証要求フラグ（Ｆ４）情報９７０が定義される。
【００９３】
この無線システム情報５０１を無線端末が受信した際の無線システム情報登録／更新動作フローチャートを、図２７および図２８に示す。無線システム登録手段６６は、無線システム情報取得回路６２を介して無線システム情報が入力されると（ステップ８４１）、入力された無線インタフェースと無線システム識別子Ｎが既に登録済みであるかどうかを調べ（ステップ８４２）、未登録であれば処理を終了する（ステップ８４３）。登録済みの場合、利用者によって接続の優先度Ｐが指定されておらず（ステップ８４４）、かつ受信した無線システム情報に接続の優先度Ｐがあった場合には（ステップ８４６）、受信した優先度の値をＰに設定する（ステップ８４７）。それ以外の場合には、現在の優先度の値をそのまま使用する（ステップ８４５）。
【００９４】
以下、接続開始無線リンク品質閾値Ｑ１（ステップ８４８〜８５０）、接続終了無線リンク品質閾値Ｑ２（ステップ８５１〜８５５）、自動接続フラグＦ１（ステップ８５６〜８５９）、自動切断フラグ（ステップ８６０〜８６３）、接続状態変化通知フラグＦ３（ステップ８６４〜８６７）、認証要求フラグＦ４（ステップ８６８〜８７１）についても同様に処理をおこなう。
【００９５】
すべての無線システム登録情報の更新処理が完了した後、ハンドオーバ判定手段６５に無線システムの情報を出力し（ステップ８７２）、続状態表示手段６７に表示更新を指示（ステップ８７３）して処理を終了する（ステップ８７４）。このように、本発明によれば無線システムから受信した情報に基き無線システム間ハンドオーバの各パラメータを設定可能であり、利用者の設定の手間を軽減可能である。
【００９６】
本発明の第１１の実施の形態において、無線基地局２０が配下の無線端末に同報送信する無線システム情報９５２を図２９に示す。無線システム情報９５２は、図５に示した第１の実施の形態における無線システム情報９５０に加えて、提供可能スループット（Ｓ）情報９８０を含む。この提供可能スループットＳは、無線基地局および有線網にて計測した値に基き、無線システム管理サーバが無線基地局に設定するものであり、網の輻輳状況等を反映した値である。図３０は、この無線システム情報９５２を受けて、無線端末２０の無線システム登録手段６６が無線システム情報を登録／更新する際のフローチャートである。
【００９７】
まず、無線システム情報取得回路６２より受信した無線システム情報が入力されると（ステップ８８１）、入力された無線インタフェースと無線システム識別子Ｎが既に登録済みであるかどうかを調べ（ステップ８８２）、未登録であれば処理を終了する（ステップ８８３）。登録済みであった場合は、受信した無線システム情報に提供可能スループットＳが存在するかどうかを調べ（ステップ８８４）、あれば受信した値をＳに設定し、（ステップ８８５）なければ当該無線システムの無線リンク物理速度をＳに設定する（ステップ８８６）。
【００９８】
次に、登録済みのすべての無線システムについて提供可能スループットＳの大きい順にソートをおこない（ステップ８８７）、Ｐｍａｘを最大優先度、Ｓｔを基準スループットとする。さらに登録済み無線システム情報をソートした順に選択し（ステップ８８９）、優先度Ｐの値を、
Ｐ＝ｍｉｎ（Ｐｍａｘ，｜Ｓ／Ｓｔ｜）
のように計算して決める。但し、ｍｉｎ（ｘ，ｙ）はｘとｙのうちいずれか小さい値を返す関数、｜ｚ｜はｚを超えない最小の整数である。最後に、ハンドオーバ判定手段６５に更新した無線システムの接続優先度Ｐを出力し（ステップ８９２）、接続状態表示手段６７に表示更新を指示（ステップ８９３）した後、ステップ８８９に戻る。
【００９９】
以上のようにして、本発明によれば、無線システムから報知された提供可能スループットに基き、スループットが高いほど無線端末における接続の優先度を上げるように、すなわち、スループットに対して優先度が正の相関を有するように、自動的に設定することが可能になる。
【０１００】
本発明の第１２の実施の形態において、無線基地局２０が配下の無線端末に同報送信する無線システム情報９５３を図３１に示す。無線システム情報９５３は、図５に示した第１の実施の形態における無線システム情報９５０に加えて、課金条件（Ｃ）情報９９０を含む。課金条件は、無線システム毎に設定される値であり、単位時間あたり、または単位送受信データ量あたりで定義される。
【０１０１】
図３２は、この無線システム情報９５３を受けて、無線端末１０の無線システム登録手段６６が無線システム情報を登録／更新する際のフローチャートである。無線システム情報取得回路６２より受信した無線システム情報が入力されると（ステップ９０１）、入力された無線インタフェース、無線システム識別子Ｎが既に登録済みかを調べる（ステップ９０２）。既に登録済みの場合、次に受信した無線システム情報に課金条件Ｃが含まれるかどうかを調べ（ステップ９０４）、あれば受信した課金条件をＣに設定し（ステップ９０５）、なければＣを０に設定する（ステップ９０６）。
【０１０２】
さらに、登録済みのすべての無線システムについて課金条件Ｃの大きい順にソートをおこない（ステップ９０７）、最大優先度をＰｍａｘ、基準課金条件をＣｔとする（ステップ９０８）。ソートした順に登録済み無線システム情報を選択し（ステップ９０９）、接続の優先度Ｐを、
Ｐ＝ｍａｘ（０，Ｐｍａｘ−｜Ｃ／Ｃｔ｜）
のように決定する（ステップ９１１）。但し、但し、ｍａｘ（ｘ，ｙ）はｘとｙのうちいずれか大きいほうの値を返す関数、｜ｚ｜はｚを超えない最小の整数である。
【０１０３】
最後に、ハンドオーバ判定手段６５に更新した無線システムの接続優先度Ｐを出力し（ステップ９１２）、接続状態表示手段６７に表示更新を指示した後（ステップ９１３）、ステップ９０９に戻る。
【０１０４】
このように、本発明によれば、無線システムから報知された課金条件に基き、課金条件が低いほど無線端末における接続の優先度を上げるように、すなわち、課金条件に対して優先度Ｐが負の相関を有するように優先度を自動的に設定することが可能になる。
【０１０５】
上述した無線システム情報は、無線システム情報同報手段８６で生成せずに、ネットワーク管理サーバから無線端末に直接通知することもできる。この場合、無線基地局内の無線システム情報同報手段８６は不要となり、ネットワーク管理サーバは、図３３のように構成される。図において、１１００は基本データベース、１１０１は演算回路、１１０２は一時データメモリ、１１０３は受信回路、１１０４は送信回路、１１０５は入力端子、１１０６は出力端子である。
【０１０６】
基本データベース１１００は、各無線端末から無線システムに対する接続の優先度Ｐ、無線システムに対して接続を開始すべき無線リンク品質の閾値Ｑ１、無線システムとの接続を切断すべき無線リンク品質の閾値Ｑ２、自動的に無線システムに接続するか否かを切り替えるフラグＦ１、自動的に無線システムから切断するか否かを切り替えるフラグＦ２、無線システムとの接続状態の変化を無線端末の利用者に対して通知するか否かを設定するフラグＦ３、無線システムとの接続時に無線端末の利用者に対して認証情報の入力を促すか否かを設定するフラグＦ４、無線端末の接続に対して要求する単位時間あたり、または送受信データ量あたりの課金条件Ｃのうち一つ以上のパラメータを保持する。
【０１０７】
一時データメモリ１１０２には、入力端子１１０５、受信回路１１０３を介して入力される、無線基地局からの無線リンク区間の提供可能スループット、無線システム管理サーバが測定した有線網の提供可能スループットを考慮した提供可能スループットＳと基本データベース１１００の情報に基づき、演算回路１１０１によって無線システム情報として整形された値を保持する。一時データメモリ１１０２に記憶された無線システム情報は、送信回路１１０４、出力端子１１０６を介して、図３４のように、無線基地局を経て無線端末へ通知される。
【０１０８】
また、このときのネットワーク無線システム管理サーバの動作フローを図３５に示す。ネットワーク管理サーバは、無線基地局および有線網の装置から提供可能スループットを受信すると、その値を保持する（ステップ１２０１、１２０２）。これらの値を考慮して、当該無線基地局における提供可能スループットＳを決定し（ステップ１２０３）、Ｓの値などに応じて当該無線基地局から同報する無線システムの優先度Ｐの値を定める（ステップ１２０４）。さらに更新した無線システム情報を一時データメモリに書き込み（ステップ１２０５）、無線基地局に対して無線システム情報を出力した後（ステップ１２０６）、処理を終了する（ステップ１２０７）。
【０１０９】
以上述べた各実施の形態では、通信システムとして、無線システムを例にとって説明したが、一般には、複数の無線システムのみならず、無線システムと有線システムとが混在するシステムや、有線システムのみでも良く、更には、無線通信システムは移動通信システムのみならず、ＬＡＮシステムなどをも含むものであっても良いことは明白である。
【０１１０】
なお、上述した各実施の形態における各部の動作フローは、予めこの動作フローに従った手順をプログラムとして記録媒体に記録しておき、これをＣＰＵなどのコンピュータにより読取って実行させることにより、実現可能であることは明白である。
【０１１１】
【発明の効果】
以上述べたように、本発明によれば、利用者によって設定される通信システムの優先度や自動接続の可否条件などの接続ポリシー情報と、各々の通信システムとの通信リンク品質に応じて、通信システム間のハンドオーバを安定して実現することが可能となる。さらに、本発明によれば、通信端末から同時に確立可能な通信リンクの数に制限を設けて通信端末の消費電力を抑制し、ハンドオーバの条件判定において輻輳状態などネットワークの運用状況を動的に取り込み反映させることが可能となる。
【図面の簡単な説明】
【図１】本発明の第１の実施の形態における無線端末および無線システムの接続関係を示す図である。
【図２】本発明の第１の実施の形態における無線端末１０の内部構成を示す図である。
【図３】本発明の第１の実施の形態における無線端末１０の他の内部構成を示す図である。
【図４】本発明の第１の実施の形態における無線基地局２０の内部構成を示す図である。
【図５】本発明の第１の実施の形態において、無線基地局２２０が配下の無線端末に同報送信する無線システム情報である。
【図６】本発明の第１の実施の形態における、無線端末２０の無線システム登録情報５００である。
【図７】本発明の第１の実施の形態において、無線端末２２０の無線システム登録手段６６が無線システム情報を登録／  更新する際のフローチャートである。
【図８】本発明の第１の実施の形態において、無線端末２０のハンドオーバ判定手段６５がおこなうハンドオーバ処理のフローチャートである。
【図９】本発明の第１の実施の形態において、無線端末２０のハンドオーバ判定手段６５がおこなう無線システム自動接続処理のフローチャートである。
【図１０】本発明の第１の実施の形態において、無線端末２０のハンドオーバ判定手段６５がおこなう無線システム手動接続処理のフローチャートである。
【図１１】本発明の第１の実施の形態において、無線端末２０のハンドオーバ判定手段６５がおこなう無線システム手動切断接続処理のフローチャートである。
【図１２】本発明の第２の実施の形態における、無線端末２０の無線システム登録情報５０１  である。
【図１３】本発明の第１の実施の形態において、無線端末２０のハンドオーバ判定手段６５がおこなう無線システム自動接続処理のフローチャートである。
【図１４】本発明の第３の実施の形態において、無線端末２０の無線システム登録手段６６が無線システム情報を登録／更新する際のフローチャートである。
【図１５】本発明の第４の実施の形態において、無線端末２０のハンドオーバ判定手段６５がおこなうハンドオーバ処理のフローチャートである。
【図１６】本発明の第４の実施の形態において、無線端末２０のハンドオーバ判定手段６５がおこなう無線システム自動切断処理のフローチャートである。
【図１７】本発明の第５の実施の形態における、無線端末２０の無線システム登録情報５０２である。
【図１８】本発明の第５の実施の形態において、無線端末２０のハンドオーバ判定手段６５がおこなう無線システム自動切断処理のフローチャートである。
【図１９】本発明の第６の実施の形態における、無線端末２０の無線システム登録情報５０３である。
【図２０】本発明の第６の実施の形態において、無線端末２０のハンドオーバ判定手段６５がおこなう無線システム自動切断処理のフローチャートである。
【図２１】発明の第７の実施の形態において、無線端末２０の無線システム登録手段６６が無線システム情報を登録／更新する際のフローチャートである。
【図２２】本発明の第８の実施の形態における、無線端末２０の無線システム登録情報５０４である。
【図２３】本発明の第８の実施の形態において、無線端末１０の接続状態表示手段６７が無線システムの接続／切断の通知をおこなう際のフローチャートである。
【図２４】本発明の第９の実施の形態における、無線端末１０の無線システム登録情報５０５である。
【図２５】本発明の第９の実施の形態において、無線端末１０のハンドオーバ判定手段６５がおこなう無線システム初期認証処理のフローチャートである。
【図２６】本発明の第１０の実施の形態において、無線基地局２０が配下の無線端末に同報送信する無線システム情報である。
【図２７】本発明の第１０の実施の形態において、無線端末１０の無線システム登録手段６６が無線システム情報を登録／更新する際のフローチャートの一部である。
【図２８】本発明の第１０の実施の形態において、無線端末１０の無線システム登録手段６６が無線システム情報を登録／更新する際のフローチャートの一部である。
【図２９】本発明の第１１の実施の形態において、無線基地局２０が配下の無線端末に同報送信する無線システム情報である。
【図３０】本発明の第１１の実施の形態において、無線端末１０の無線システム登録手段６６が無線システム情報を登録／更新する際のフローチャートである。
【図３１】本発明の第１２の実施の形態において、無線基地局２０が配下の無線端末に同報送信する無線システム情報である。
【図３２】本発明の第１２の実施の形態において、無線端末１０の無線システム登録手段６６が無線システム情報を登録／更新する際のフローチャートである。
【図３３】本発明の実施の形態におけるネットワーク管理サーバの系統図である。
【図３４】図３３のネットワーク管理サーバから無線端末へ、無線システム情報を直接送信する場合のシーケンスである。
【図３５】図３３のネットワーク管理サーバの動作フローである。
【図３６】従来技術による課題を説明するための図である。
【図３７】図３６における無線端末の受信信号レベルを示す模式図である。
【符号の説明】
１０〜１７  無線端末
２０〜２４  無線基地局
３０〜３２  有線網
４０〜４２  無線システムのネットワーク管理管理サーバ
５０  外部網
６０、８０  無線受信器
６１、８１  無線送信器
６２  無線システム情報取得回路
６３  無線リンク品質取得回路
６４  無線システム接続および切断手段
６５  ハンドオーバ判定手段
６６  無線システム登録手段
６７  接続状態表示手段
６８  手動接続／切断手段
６９  ＴＣＰ／ＩＰ処理手段
７０  アプリケーション実行手段
７８  アプリケーション選択手段
８２  有線受信器
８３  有線送信器
８４  データ転送手段
８５  統計情報取得手段
８６  無線システム情報同報手段
８７  ネットワーク管理サーバ通信手段
１００〜１０２  無線システムのサービスエリア
２００〜２０７  無線リンク
３００〜３０４、３１０〜３１２、３２０〜３２２  有線リンク
【図１】
2004304399.tif 000003
【図２】
2004304399.tif 000004
【図３】
2004304399.tif 000005
【図４】
2004304399.tif 000006
【図５】
2004304399.tif 000007
【図６】
2004304399.tif 000008
【図７】
2004304399.tif 000009
【図８】
2004304399.tif 000010
【図９】
2004304399.tif 000011
【図１０】
2004304399.tif 000012
【図１１】
2004304399.tif 000013
【図１２】
2004304399.tif 000014
【図１３】
2004304399.tif 000015
【図１４】
2004304399.tif 000016
【図１５】
2004304399.tif 000017
【図１６】
2004304399.tif 000018
【図１７】
2004304399.tif 000019
【図１８】
2004304399.tif 000020
【図１９】
2004304399.tif 000021
【図２０】
2004304399.tif 000022
【図２１】
2004304399.tif 000023
【図２２】
2004304399.tif 000024
【図２３】
2004304399.tif 000025
【図２４】
2004304399.tif 000026
【図２５】
2004304399.tif 000027
【図２６】
2004304399.tif 000028
【図２７】
2004304399.tif 000029
【図２８】
2004304399.tif 000030
【図２９】
2004304399.tif 000031
【図３０】
2004304399.tif 000032
【図３１】
2004304399.tif 000033
【図３２】
2004304399.tif 000034
【図３３】
2004304399.tif 000035
【図３４】
2004304399.tif 000036
【図３５】
2004304399.tif 000037
【図３６】
2004304399.tif 000038
【図３７】
2004304399.tif 000039